(57)【要約】【課題】疑餌胴体内部に魚の印刷を施し、さらにその内部に反射フィルムを位置させた構造の集魚効果を高めるいか釣り針。【解決手段】中空状の疑餌胴体を縦方向に開口し、内部に印刷あるいは転写を施し、さらにその内側にアルミ蒸着などの反射フィルムを、疑餌胴体と補強パイプで挟持するように位置せしめ、疑餌胴体には密着させない状態で設ける。反射フィルムには接着用糊代を設け、開口した疑餌胴体の閉鎖と、フィルムの両端の疑餌胴体への固定を行うこともある。【選択図】　　　図３
2004024226.tif 000002
【特許請求の範囲】
【請求項１】
光透過可能な透明樹脂により中空に構成されたいか釣り用の疑餌胴体内部に、魚模様などの印刷、転写を任意の一部の色を抜いて疑餌外部に向けて裏面より施し、しかる後当該疑餌胴体の内面側に光の乱反射を行う凸凹を有するアルミ蒸着フィルムなどの反射フィルムを、イカ釣り針疑餌本体を貫通してなる硬質強パイプと当該疑餌胴体内面で挟持するが如くして、固定せずに位置せしめ、これにより内部への過大なへこみを防止しながらも、当該樹脂フィルムが変形自在となりながら、魚模様の印刷面との間にわずかの距離を保ち密着させない事を特徴としたイカ釣り用疑餌胴体の構成方法。
【請求項２】
請求項１のイカ釣り用疑餌胴体における光の乱反射を行う凸凹を有するアルミ蒸着フィルムなどの反射フィルムの端部に接着剤の塗布、あるいは接着テープ、ヒートシール部による糊しろ部分を設け、これによりイカ釣り用の疑餌胴体の開口部同士の接合と反射フィルム本体の疑餌胴体への固定を併せて行うことを特徴としたイカ釣り針の疑餌。
【請求項３】
請求項１のイカ釣り用疑餌胴体における光の乱反射を行う凸凹を有するアルミ蒸着フィルムなどの反射フィルムの反射面側、長手方向中央部に接着剤の塗布、あるいは接着テープ、ヒートシールなどによる糊しろ部分を設定し、当該反射フィルムを内蔵したまま、これを疑餌胴体開口部へ接着あるいはヒートシールの加熱を行い、よってイカ釣り用の疑餌胴体の開口部同士の接合と反射フィルム本体の疑餌胴体への固定を併せて行うことを特徴としたイカ釣り針の疑餌構造。
【請求項４】
ブロー成型法による魚形の疑餌胴体の目に相当する位置に設けたエアー抜き用の開口穴を、凸面の疑似レンズ状の突起に成形して、あるいはレンズ様の部材の取り付けにより塞ぎ、この位置に疑餌胴体内部の印刷、転写によりなされた模様の魚の目を一致させ、同時に当該疑餌胴体の内部に挿入される補強パイプ側面の任意の位置に、疑餌胴体内部空間のエアー抜き穴を設け、疑餌胴体内部の水圧による残留エアーを同パイプ状の穴より疑餌胴体外部へ逃がす構造のイカ釣り針。
【発明の詳細な説明】
【０００１】
【発明の属する技術分野】
本発明は、疑餌を用いて一本釣りで、漁を行ういか釣り針に関するものである。
【０００２】
【従来の技術】
従来のいか釣り針の餌に相当する疑餌胴体は、樹脂に顔料を混入し、着色し、蛍光顔料などを加えて彩色を施し、集魚効果を意図するものであった。
【０００３】
このため、疑餌としての効果は、疑餌本体の色彩と夜光顔料などの自己発色性に頼るほかなく、疑餌としての効果に限界があった。
【０００４】
加えて、疑餌胴体の漁獲効果を高めるための魚模様の疑餌としようとする場合、疑餌胴体に直接印刷を施しても、水圧による潰れ防止のための空気穴の開口部が邪魔となって、より効果的な疑餌胴体の表現が出来なかった。
【０００５】
更には、疑餌胴体の外部に印刷、彩色を施しても擦れ、損傷などにより印刷、彩色面の痛みを生じ経時的に有効でなかった。
【０００６】
また、旧来の疑餌胴体は切れ目のない紡錘状の円筒形の形状に構成されていたので、疑餌本体の損傷、破損に対してこれを取り替えるためには、いか釣り針本体を分解して行わなければならず、多大な労力を要するものであった。
【発明が解決しようとする課題】
従来の疑餌胴体では、形状において紡錘形とすることで魚の形状を模するか、顔料による色彩、あるいは蛍光塗料による集魚効果しか持ち得なかったが、本発明にあっては、疑餌胴体本体に魚の写真印刷を施し、よりリアルな魚を表現し、集魚効果を与えんとするものである。
【０００７】
同時に、経時変化に耐え得るよう、疑餌胴体の内部に印刷、あるいは転写を施さんとするものである。
【０００８】
また、さらにこの印刷、転写による魚の印刷に鱗などの乱反射をより効果的に生じせしめんとするものである。
【０００９】
また、従来のいか釣り用疑餌胴体では、疑餌部の破損、損傷に対して当該疑餌のみの交換が容易に出来なかったので、これを単体で容易に行えるようにするものである。
【００１０】
より効果的な疑餌の再現のために疑餌胴体に穿たざるを得なかった空気流出口を廃せんとするものである。
【発明を解決するための手段】
【００１１】本発明では、中空状の疑餌胴体の内部に、印刷あるいは転写による魚の模様を外側に向けて施し、もって疑餌胴体をより魚らしく見せ、集魚効果を高めんとするものである。
【００１２】この際中空状の疑餌胴体を開いた状態で、その内部に疑餌胴体を、裏返し状で魚の印刷あるいは印刷の転写を行うものである。
【００１３】当該疑餌胴体は外部からの視認を得るために透明な樹脂を用いるのであるが、印刷あるいは印刷の転写にあっては意図的に一部の色彩を抜いて行うのである。
【００１４】かくして、印刷あるいは印刷物の転写を行った疑餌胴体の内部に、アルミ蒸着フィルムなどの光の反射を行う反射フィルムを位置せしめるのである。
【００１５】この際、当該反射フィルムには意図的なデザインによる凹凸あるいは無作為の折れ皺をあらかじめ設けてある。
【００１６】さらに、当該反射フィルムは疑餌胴体内で疑餌胴体内部の印刷面とはわずかの空間を有した状態で、疑餌胴体と補強パイプの中間に位置して設けられるのである。
【００１７】当該反射フィルムの端部には、その一端において接着剤あるいはヒートシールなどの方法で疑餌胴体開口部の一端に固定され、当該反射フィルムの他の一端には同じく接着剤が設けてある。
【００１８】本件疑餌胴体の実施にあっては、当該反射フィルムには接着面を設けず、別途の接着剤、接着テープあるいはヒートシールなどの方法により開口した疑餌胴体の閉鎖を当該反射フィルムとは独立した方法で行うことも可能である。この際当該反射フィルムは疑餌胴体内部に固定されずフリーな状態で位置するのである。
【００１９】また、当該反射フィルムの反射面側、長手方向中央に縦軸状に接着、ヒートシールを想定し、当該反射フィルムをバインダーとして疑餌胴体の開口部を閉鎖し、同時に反射フィルムの部分的固定を図るのである。
【００２０】疑餌胴体には水中での空気流出用の開口穴を設けず、イカ釣り針の本体内部に位置する補強パイプの側面に任意の開口部を穿ち、疑餌胴体内部の圧縮された空気は、補強パイプの外部へ抜けたパイプ穴の上部からから排出するのである。
【００２１】
【発明の実施の形態】
以下、本発明の実施の形態を実施例にもとづき、図面を参照して説明する。
図１は、従来の一般的なイカ釣り針である。針の上部に疑似餌となる樹脂製の疑餌胴体２を有し、疑餌胴体は顔料等により彩色されている。
【００２２】図２に示される実施例では、光の透過可能な透明樹脂により構成されたの疑餌胴体２の内部に魚の模様を写真印刷、もしくは転写するのである。この際印刷あるいは転写の際に図柄の特定の色彩を抜いておくとより効果的な疑餌となる。当該疑餌胴体２の内部には、光の反射を行うアルミ蒸着フィルムなどの反射フィルム４を位置せしめるのであるが、この際反射フィルムには任意の凹凸を有する折れしわをあらかじめ入れておくと、有効な乱反射を生じるのである。さらにこの反射フィルムの内部にイカ釣り針の補強材であるパイプ５を位置せしめる。
【００２３】本発明の実施にあっては、前述の構造となしたので図３に見るように反射フィルム４は、印刷面の疑餌胴体２内面には密着せずまた、補強パイ５プに挟持されているので、過度の外部応力により完全にへこんでしまうこともないのである。
【００２４】図４では、透明な疑餌胴体２を通過した外光１１は一度印刷面を通過した後、アルミ蒸着フィルムなどの反射フィルム面４により乱反射１２されるのである。
【００２５】また、図４に見られる如く、疑餌胴体２の内面の印刷は反射フィルム４に密着せず、空間を構成されているので魚の模様などの図柄３が反射フィルム４の表面に写像１３として構成され、外部へ写り込むのである。このため、平面である写真印刷の図柄３は、乱反射と、写像１３の写り込みにより立体的な厚みを持って視認され、あたかも生きた魚であるかのように見えるのである。
【００２６】同時に、漁労作業中の外部からの応力により疑餌胴体２の潰れ、へこみが生じるが、これによって反射フィルム４は独自に様々の折れしわ９をなし、画一的でなくなるのである。
【００２７】同時に補強パイプの周辺にスポンジ様の充填材を用いて、反射フィルムの疑餌胴体への密着の程度を調整することも有効である。
【００２８】図６においては反射フィルム４の表面に鱗状の凹凸が意図的なデザインとして設けられている。さらに反射フィルム４の両端には接着剤の塗布、あるいは接着テープ、ヒートシールに供する糊しろ部分６が設けられている。
【００２９】図７に見るように、疑餌胴体開口部の合わせ目を閉鎖する際には、この糊しろ部６を開口部の裏側に位置せしめて図８の様に接着あるいはヒートシールを行うのである。
【００３０】本実施例によると、疑餌胴体２の開口部の閉鎖と同時に反射フィルム４は縦軸方向において固定されるのであるが、本固定にあっては、反射フィルム４は縦軸一方向における一部の固定となり、反射フィルム４と疑餌胴体２の全体的な密着を促すものでなく、むしろ疑餌胴体２内での縦軸方向への圧縮に抗し、また不慮の反射フィルム４の回転による位置ずれ、片寄りを阻止するものとして有効である。
【００３１】図９では、反射フィルム４の反射面、長手方向の中央部に接着剤の塗布、あるいは接着テープ、ヒートシール部による糊しろ部分６を設定するのである。図１１に見られるように実施例では、ヒートシラー１６及びその受け台１７で反射フィルム４の中央部を疑餌胴体２の合わせ部１８に貼り合わせるのである。ヒートシラー１６の加熱部ヘッドは、当該反射フィルム４を疑餌胴体２の内側から疑餌胴体本体へ加圧し、接着あるいはヒートシールの加熱を行い、これによりイカ釣り針用の疑餌胴体２の開口部同士の接合と反射フィルム４本体の疑餌胴体２への固定を併せて行うのである。
【００３２】図１２はブロー成形で得られた中空状の疑餌胴体２に本来設けられるべき空気抜き穴を、疑似レンズ状の突起部材７として構成することで、疑餌胴体２本体に疑餌としての機能を損なう穴状の開口部を廃するのである。このため実施例では補強パイプ５の上部にエアー抜き穴８を開穿し、水中における疑餌胴体２内部の加圧された空気を補強パイプ５のエアー抜き穴８から排出するのである。この際補強パイプ５の底部にはパイプ穴があるものの、針方向への沈下であるために、このパイプ穴のみからの排出では十分でなく、疑餌胴体２内部の残留空気は当該パイプ穴より上部に蓄積され、疑餌胴体２が水圧により潰れて疑餌の役割を果たさないのである。
【００３３】図１３は本発明の胴体付け替えを示す実施例である。請求項２に見られる反射フィルム４の端部の接着剤、接着テープ、ヒートシールからなる糊しろ部６による疑餌胴体２の開口部の閉鎖は、図の釣り糸１５によるイカ釣り針の取り付けを行ったまま、側面から簡単に装着出来るのである。
【発明の効果】
【００３４】
本発明は、以上説明したように構成されているので、以下に記載されような効果を奏する。
【００３５】
本発明のいか釣り疑餌にあっては、単なる疑餌部の彩色に頼ることなく、魚模様の写真印刷を施すことができ集魚効果に優れ、疑餌内部への装飾となしたので、使用に際し模様の損傷を回避出来るのである。
【００３６】
印刷面を中空状の疑餌の内面に任意の色彩の一部を除去して施したので、その内部から反射フィルムによる外光の乱反射を呈するため、あたかも鱗のごとく見え、集魚効果を高めるのである。
【００３７】当該反射フィルムは、印刷面に密着しないため外部からの視認に際し印刷部と反射光の反射面との間にわずかの空間を呈する事が出来、平面の印刷を裏面の反射フィルムに投影した写像を乱反射するので、より立体的に再現でき、効果的な疑餌となす事が出来るのである。
【００３８】加えて、乱反射を呈する反射フィルムは、外部の応力により経常的に折れ皺を生じ、画一的な光の拡散でなくなるために、より効果的な疑餌となるのである。
【００３９】また、イカ釣り漁業において機械的な操業を行っても、内部の補強パイプが過度の反射フィルムのへこみを防止するのである。
【００４０】当該疑餌胴体を損傷などに対応して、新たに付け替えとして用いる場合、反射フィルムの一端を疑餌胴体開口部への接着、あるいはヒートシールなどにより開口部の接合のために貼付する事で、疑餌胴体の開口部の閉鎖を行えるので、容易な作業で疑餌胴体のみの交換が可能とあるのである。
【００４１】更には、反射フィルムの反射面、長手方向中央部に縦軸状に接着、あるいはヒートシールを行うので、疑餌胴体の開口部閉鎖にあたって、疑餌胴体内部から「あて布」的に閉鎖でき、同時に反射フィルムの一部のみを疑餌胴体に固定するのである。
【００４２】本発明による疑餌胴体には、疑餌としての再現性を高めるために、不要な空気流出のための開口部を設けないのでより有効な集魚効果を得られるのである。本例の水中での圧縮された疑餌胴体内部の空気は、補強パイプに設けられた空気流出穴を介して排出させ、同時に内部への海水の流入も行われるるのである。
【００４３】本発明の疑餌針は、縦軸方向に開閉可能となしたので、漁業現場において、疑餌胴体の破損、痛みに対し容易に、釣り糸を保持したまま付け替えが可能となるのである。
【００４４】同様に、釣り具の交換では、総てを破棄するのでなく、必要箇所のみ交換すればよいので他の利用可能な部材をそのまま利用でき、リサイクル可能な漁具となす事が出来る。
【００４５】さらに、製造現場にあっては逐一疑餌の色など種類に応じて全体を作りストックする必要がなく、疑餌胴体のみ後工程で付け加えればよく、在庫ストック量を削減できるのである。
【図面の簡単な説明】
【図１】一般的なイカ釣り針の構造を示す参考図である。
【図２】請求項１を表し、疑餌胴体内部への印刷あるいは転写による魚模様の状況と
反射フィルム、補強パイプの構造位置を表す。
【図３】請求項１を表し、疑餌胴体と反射フィルム、補強パイプの相互関係を示す一
部切開図である。
【図４】疑餌胴体への外光の乱反射状況および、図柄の写像を示す縦断面図である。
【図５】疑餌胴体への外光の乱反射状況および、図柄の写像を示す横断面図である。
【図６】請求項２を表し、反射フィルムの両端に設けた糊代を示す側面図である。
【図７】請求項２を表し、疑餌胴体と反射印刷フィルムとの取付及び切開した疑餌胴
体の閉鎖を示す切開斜視図である。
【図８】請求項２を表し、疑餌胴体と反射印刷フィルムとの取付及び切開した疑餌胴
体の閉鎖を示す切開断面図である。
【図９】請求項３を表し、順次、反射フィルムの反射面中央におけるヒートシールで
、疑餌胴体の開口部が閉鎖される様子を表す参考図である。
【図１０】同じく請求項３における補強パイプ、反射フィルム、疑餌胴体の位置関係を
示す参考図である。
【図１１】請求項３におけるヒートシールの様子を説明する断面図である。
【図１２】請求項４を表し、補強パイプに設けたエアー抜き穴と疑餌胴体に設けた疑似
レンズ状の突起および圧縮された空気の流出を示す側面図である。
【図１３】請求項２の疑餌胴体の交換を示す参考図である。。
【符号の説明】
１　　イカ釣り針本体
２　　疑餌胴体
３　　印刷あるいは転写による図柄
４　　反射フィルム
５　　補強パイプ
６　　糊代部
７　　疑似レンズ状の突起
８　　エアー抜き穴
９　　折れしわ
１０　　意図的なデザインの凹凸の折れしわ
１１　　外光
１２　　反射光
１３　　模様の写像
１４　　圧縮されたエアー
１５　　釣り糸
１６　　ヒートシーラー
１７　　ヒートシーラー受け台
１８　　疑餌胴体開口部の突き合わせ
【図１】
2004024226.tif 000003
【図２】
2004024226.tif 000004
【図３】
2004024226.tif 000005
【図４】
2004024226.tif 000006
【図５】
2004024226.tif 000007
【図６】
2004024226.tif 000008
【図７】
2004024226.tif 000009
【図８】
2004024226.tif 000010
【図９】
2004024226.tif 000011
【図１０】
2004024226.tif 000012
【図１１】
2004024226.tif 000013
【図１２】
2004024226.tif 000014
【図１３】
2004024226.tif 000015